(57)【要約】【課題】少ない部品点数で、伝送波形の歪みを十分に改善し、製造コストの増大を抑えることができる分岐コネクタを提供する。【解決手段】通信回路を構成する幹線から複数の支線が分岐接続する位置に設ける分岐コネクタであって、コネクタハウジング内に、長尺なジョイント部と、該ジョイント部の長さ方向に沿って間隔をあけて突出させた複数の電線接続用端子部を備えたバスバーと、前記電線接続用端子部の突出方向と直交方向に延在し、並設する各電線接続用端子部が間隔をあけて接触されるように配置した導電性を有するフェライト磁性材からなるフィルタ材を収容している。前記フィルタ材はＭｎ−Ｚｎを成分に含むフェライト磁性材から形成している。【選択図】図２
2008071596.tif 000002
【特許請求の範囲】
【請求項１】
通信回路を構成する幹線から複数の支線が分岐接続する位置に設ける分岐コネクタであって、
コネクタハウジング内に、
長尺なジョイント部と、該ジョイント部の長さ方向に沿って間隔をあけて突出させた複数の電線接続用端子部を備えたバスバーと、
前記電線接続用端子部の突出方向と直交方向に延在し、並設する各電線接続用端子部が間隔をあけて接触されるように配置した導電性を有するフェライト磁性材からなるフィルタ材を収容していることを特徴とする分岐コネクタ。
【請求項２】
前記フィルタ材は、Ｍｎ−Ｚｎを成分に含むフェライト磁性材から形成している請求項１に記載の分岐コネクタ。
【請求項３】
前記バスバーは、前記ジョイント部からＵ字形状に屈曲させた分岐部を介して前記電線接続用端子部を突出させ、
並設した前記Ｕ字形状の分岐部の中空部に、長方形状の板材とした１個の前記フィルタ材を貫通配置し、前記各分岐部のＵ形状の上下両側で前記フィルタ材を接触狭持している請求項１または請求項２に記載の分岐コネクタ。
【請求項４】
前記バスバーは、前記ジョイント部から間隔をあけて突出する電線接続用端子部の間に、それぞれＪ字状に屈曲させた保持片を突設し、
交互に配置される前記電線接続用端子部と保持片の間に、長方形状の板材とした１個の前記フィルタ材を貫通配置し、前記各電線接続用端子部と保持片で交互に前記フィルタ材の両面を接触狭持している請求項１または請求項２に記載の分岐コネクタ。
【請求項５】
前記バスバーの前記フィルタ材との接触面に、突起接触部を設けている請求項１乃至請求項４のいずれか１項に記載の分岐コネクタ。
【請求項６】
前記フィルタ材に、前記バスバーとの接触面に金属蒸着による形成した金属接触面を設けている請求項１乃至請求項５のいずれか１項に記載の分岐コネクタ。
【請求項７】
前記フィルタ材は、前記バスバーの電線接続用端子部をそれぞれ貫通させる貫通穴を並設した直方体状としている請求項１または請求項２に記載の分岐コネクタ。
【発明の詳細な説明】
【技術分野】
【０００１】
本発明は、分岐コネクタに関し、特に、車載ＬＡＮなどの通信ネットワークの幹線から支線を分岐する分岐接続部に生じる伝送波形の歪みを緩和する機能を備えた分岐コネクタに関するものである。
【背景技術】
【０００２】
車載ネットワーク等の通信ネットワークにおいて、１つの通信機器から別の通信機器へ信号を伝送する際に、電気的または磁気的ノイズによって伝送波形に歪みが発生して通信が正常に行われないという問題がある。この波形歪みは主としてインピーダンスの不整合に起因する信号の反射によっても発生し、通信線の分岐点においてはインピーダンス不整合が発生することは避けられなかった。そのため、従来より分岐点での波形歪みを改善するための種々の技術が提案されている。
【０００３】
例えば、図９に示すように、分岐コネクタ９０の分岐点において多数に分岐する全ての通信線９１に接続される分岐路９２をそれぞれフェライトビーズ９３の貫通孔に挿入し、このフェライトビーズ９３によって各分岐路９２に誘導特性を得られるようにして、伝送波形の歪みを緩和することが提案されている。なお、前記フェライトビーズ９３と分岐路９２の間は絶縁性の被覆（図示していない）によって絶縁されている。
【０００４】
また、特許文献１（特表平７−５００４６３号公報）には、スター接続された分岐路の分岐点間、つまり、ＣＡＮバスを構成する一対の通信線（ＣＡＮＨとＣＡＮＬ）の分岐点間に、負荷インピーダンスを設けることにより、各通信線側から見て分岐部において近似的に通信線の特性インピーダンスをもって終端されていることが記載されている。つまり、分岐部を通信線の終端とすることにより、分岐部におけるインピーダンスの不整合によって生じる反射波の発生を抑えることが記載されている。
【０００５】
【特許文献１】特表平７−５００４６３号公報
【発明の開示】
【発明が解決しようとする課題】
【０００６】
前記図９に示すように、伝送波形の歪みを緩和するための各分岐路９２を貫通させるフェライトビーズ９３は、一般的にＭｎ−Ｎｉ系が用いられており、このフェライトビーズ９３自身の内部抵抗が大きく、絶縁性を有するものである。また、分岐路９２とフェライトビーズ９３の間は一般的に絶縁されており、Ｍｎ−Ｎｉ系のフェライトビーズ９３内に分岐路９２を構成するピンを貫通させただけでは、十分な波形歪み改善特性を得ることができないという問題があった。また、全ての分岐路９２をそれぞれフェライトビーズ９３の貫通孔に挿入するための手間がかかり、製造コストが高くなる問題がある。
【０００７】
そこで、フェライトビーズ９３の代わりにそれぞれの電気的特性を最適なものとした抵抗とコイルを基板上に並設し、前記分岐路を基板上に形成すると共に抵抗とコイルの並列接続回路からなるフィルタ回路を形成すると、波形歪み改善特性を十分に行うことが可能となる。
しかしながら、分岐部に前記抵抗とコイルの並列接続回路からなるフィルタ回路を設けると分岐コネクタが大型化すると共に、基板などの部品点数が増加し、分岐コネクタの製造コストを安価にできなくなる問題が生じる。
【０００８】
本発明は前記問題に鑑みてなされたものであり、より少ない部品点数で、伝送波形の歪みを十分に改善し、製造コストの増大を抑えることができる分岐コネクタを提供することを課題としている。
【課題を解決するための手段】
【０００９】
前記課題を解決するため、本発明は、
通信回路を構成する幹線から複数の支線が分岐接続する位置に設ける分岐コネクタであって、
コネクタハウジング内に、
長尺なジョイント部と、該ジョイント部の長さ方向に沿って間隔をあけて突出させた複数の電線接続用端子部を備えたバスバーと、
前記電線接続用端子部の突出方向と直交方向に延在し、並設する各電線接続用端子部が間隔をあけて接触されるように配置した導電性を有するフェライト磁性材からなるフィルタ材を収容していることを特徴とする分岐コネクタを提供している。
【００１０】
前記構成によれば、フィルタ材が導電性を有するものであるから、このフィルタ材が電線接続用端子部に接触することにより、各電線接続用端子部はフィルタ材が持つ抵抗値の影響を受けることになる。よって、フィルタ材はインダクタンスだけでなく抵抗の電気的特性を発揮することができ、簡素な構成でありながら伝送波形の歪みを理想的に改善するために必要十分な性能を発揮することができる。
【００１１】
また、フィルタ材の長さ方向の各部を各電線接続用端子部にそれぞれ接触するように配置しているため、各電線接続用端子部毎にフィルタ材を設ける必要はなく、部品点数の削減を図ることができると共に、組み立て工数を少なくすることができ、製造コストを削減することができる。
【００１２】
前記バスバーは伝送する信号の減衰を必要最小限に抑えるためには、優れた導電率を有する銅などの金属材料から形成することが好ましいが、分岐部におけるインピーダンス不整合を緩和できる程度の抵抗値を得ることができる導電率の材料を用いて形成してもよい。
なお、前記フィルタ材と接触する各電線接続用端子部は、分岐コネクタに設けた全ての電線接続用端子部でもよいが、車載ＬＡＮの幹線を構成する電線接続用端子部にはフィルタ材を接触させないようにして、車載ＬＡＮの幹線に供給される伝送信号の減衰を防止することが好ましい。
また、ＣＡＮを始めとする車載ＬＡＮでは、ツイストペア電線またはシールドツイストペア電線を一対の通信線として用いて信号を伝送するため、コネクタハウジング内には前記一対の通信線のそれぞれに対応するバスバーを設け、それぞれフィルタ材を介して接続することが好ましい。
【００１３】
前記フィルタ材は、Ｍｎ−Ｚｎを成分に含むフェライト磁性材から形成していることが好ましい。
前記Ｍｎ−Ｚｎを成分に含むフェライト磁性材は、伝送波形の歪みを緩和するために適正なインダクタンスと抵抗を有するものであるため、該フェライト磁性材より形成したフィルタ材を分岐コネクタに用いることにより、波形歪みを効果的に改善することができる。
【００１４】
具体的には、前記バスバーは、前記ジョイント部からＵ字形状に屈曲させた分岐部を介して前記電線接続用端子部を突出させ、
並設した前記Ｕ字形状の分岐部の中空部に、長方形状の板材とした１個の前記フィルタ材を貫通配置し、前記各分岐部のＵ形状の上下両側で前記フィルタ材を接触狭持していることが好ましい。
【００１５】
バスバーを前記形状とすると、Ｕ字状に屈曲させた分岐部がフィルタ材に巻き付ける状態でフィルタ材を狭持するため、分岐部を通る電流によって発生する磁束のうち、フィルタ材を通る磁束を増加させることができ、それだけフィルタ材のインダクタンスとしての特性を引き出すことができる。一方、フィルタ材を分岐部で狭持しているため、フィルタ材と分岐部との電気的な接続を確実に行うことができると共に、分岐部によって挟まれるフィルタ材の両面がＵ字形状の分岐分の両側面に接触し、電線接続用端子部に対して低い抵抗値にて接続することができる。
【００１６】
あるいは、前記バスバーは、前記ジョイント部から間隔をあけて突出する電線接続用端子部の間に、それぞれＪ字状に屈曲させた保持片を突設し、
交互に配置される前記電線接続用端子部と保持片の間に、長方形状の板材とした１個の前記フィルタ材を貫通配置し、前記各電線接続用端子部と保持片で交互に前記フィルタ材の両面を接触狭持する構成としてもよい。
【００１７】
また、前記バスバーのフィルタ材との接触面に突起接触部を設けていることが好ましい。具体的には、前記のようにＵ字形状の分岐部を設けた場合には、フィルタ材と接触する両側部の対向面に前記突起接触部を設けている。
このように突起接触部を設けると、バスバーのフィルタ材との間の接触面積を安定させることができるので、フィルタ材を用いて安定した抵抗値を得ることができる。なお、前記接触面積を調整することにより、フィルタ材を用いて形成する抵抗値を調整することができる。
【００１８】
前記フィルタ材側にも、前記バスバーとの接触面に金属蒸着による形成した金属接触面を設けていることが好ましい。
これにより、フィルタ材とバスバーの接触面の接触抵抗を小さくすることができ、フィルタ材によって所望の抵抗値を得ることができる。また、前記接触面積を調整することにより、フィルタ材を用いて形成する抵抗値を調整することができる。
【００１９】
さらに、前記フィルタ材は、前記バスバーの電線接続用端子部をそれぞれ貫通させる貫通穴を並設した直方体状としてもよい。
この貫通穴に夫々電線接続用端子部を貫通させて、その外周面を貫通穴の内周面に接触させることにより、確実に電気接続することができる。
【００２０】
特に、前記貫通穴の大きさは電線接続用端子部の断面の大きさと同じであるか、貫通穴に対するコネクタ側端子の挿入が可能である程度に小さく形成することが好ましい。該形状とすることで、貫通穴に電線接続用端子部を挿入するときに、摺接面が面のバネ圧がかかるように接触する構成とすると、接触面の接触抵抗を小さくすることができ、安定した波形改善効果を得ることができる。
【発明の効果】
【００２１】
前述したように、本発明によれば、小型で、かつ、安価な部品で通信時の波形歪みを改善することができる分岐コネクタを提供できる。とりわけ、フィルタ材が導電性を有するフェライト磁性材から形成しているため、このフィルタ材がバスバーのジョイント部から分岐した電線接続用端子部側で接触することにより、各フィルタ材はインダクタンス（誘導素子）としての電気的特性のみならず、少なくともこのインダクタンスに並列に接続された抵抗体としての電気的特性を発揮することができ、簡素な構成でありながら伝送波形の歪みを理想的に改善する必要十分な性能を発揮することができる。
【００２２】
また、１枚のバスバーにより形成した分岐導電体に、１個のフィルタ材を接触させるだけの簡単な構成であるため、部品点数の削減を図ると共に、組み立て工数を少なくすることができるので、それだけ製造コストを削減することができる。さらに、分岐コネクタの構成が簡素であればあるほど堅牢性を高めることができる。
【発明を実施するための最良の形態】
【００２３】
以下、本発明の実施形態を図面を参照して説明する。
図１乃至図６に、本発明の第一実施形態を示す。
図１において、１は分岐コネクタ、２はツイストペア電線からなる通信線、３（３Ａ〜３Ｄ）は通信線２の端部に接続された通信線側コネクタである。
【００２４】
前記通信線２はＣＡＮに代表される車載ＬＡＮの通信線路を構成するものであり、一対の通信線２Ａ，２Ｂ（それぞれＣＡＮＨ、ＣＡＮＬに対応する）を備えている。
各通信線側コネクタ３内には各通信線２Ａ，２Ｂの端末に接続された通信線側端子４（４Ａ，４Ｂ）を挿入係止している。本実施形態では通信線側コネクタ３は４個とし、コネクタ３Ａ、３Ｂは幹線の通信線２ｔと接続した幹線側コネクタとし、３Ｃ，３Ｄは支線の通信線２ｂと接続した支線側コネクタとしている。
【００２５】
分岐コネクタ１は、コネクタハウジング５の一側部にコネクタ嵌合部６を設け、通信線側コネクタ３の挿入用開口６ａより挿入させる構成としている一方、コネクタ嵌合部６の底壁をなす仕切壁２１を介して他側部に上下２段のバスバー収容部１０（１０Ａ、１０Ｂ）を設け、該バスバー収容部１０の背面側開口１０ａをカバー９で閉鎖する構成としている。
【００２６】
図２に示すように、前記上下２段のバスバー収容部１０は仕切壁２１から背面側へ突設した仕切２２で上下２段に仕切り、上下２段の各端子収容部１０にそれぞれジョイント用のバスバー７（７Ａ、７Ｂ）を収容している。該バスバー７は銅合金からなる導電性金属板を打ち抜き加工後に所要箇所を折り曲げて形成したものである。
【００２７】
上下２段の端子収容部にそれぞれ収容するバスバー７は、図３に示すように、長尺帯状のジョイント部７ａと、該ジョイント部７ａの長さ方向に沿って所定間隔をあけてＵ字状に屈曲させた４個の分岐部７ｂと、各分岐分７ｂの先端から平角棒状の電線接続用端子部７ｃを備えている。これら４個の電線接続用端子部７ｃを前記仕切壁２１に設けた貫通穴２１ａを通して前記コネクタ嵌合部６へ突出している。
【００２８】
前記電線接続用端子部７ｃは、幹線側コネクタ３Ａ、３Ｂと支線側コネクタ３Ｃ，３Ｄがコネクタ嵌合部６に嵌合係止されると、各コネクタに接続された通信線２Ａは上段側の電線接続用端子部７ｃと、通信線２Ｂは下段側の電線接続用端子部７ｃに夫々雌雄嵌合接続される。
【００２９】
前記Ｕ字形状に屈曲させた各分岐部７ｂは所定間隔をあけて並設し、導電性を有するＭｎ−Ｚｎ系のフェライト磁性材からなる長尺な平板状のフィルタ材１１を４個の分岐部７ｂに夫々嵌合させて貫通している。即ち、各分岐部７ｂの上下両側部間の中空部にフィルタ材１１を連続して貫通させ、該フィルタ材１１を長さ方向に間隔をあけて上下より狭持した状態としている。
【００３０】
前記各分岐部７ｂの上下両側部の対向面には矩形状に突出させた突起接触部７ｐ、７ｑを上下対向させて突設している。一方、対応するフィルタ材１１の上下両面にも突起接触部７ｐ、７ｑと同形状とした金属接触面１１ａ、１１ｂを設けている。前記突起接触部７ｐ、７ｑ間の間隔Ｓはフィルタ材１１の厚みｄ以下としている。
これら突起接触部７ｐ、７ｑ、金属接触面１１ａ、１１ｂの設置位置は、図４に示すように、Ｕ形状の両側部の先端側としている。
【００３１】
前記バスバー７とフィルタ材１１との組みつけは、図４に示すように、バスバーを図中、一点鎖線で示す展開状態で打ち抜いた後に矢印Ｒで示すように屈曲加工し、一端がジョイント部７ａで連結されたＵ字状の分岐部７ｂを設け、ジョイント部７ａと対向する分岐部７ｂの自由端から夫々電線接続用端子部７ｃを延在させている。
【００３２】
一方、前記フィルタ材１１は、その表裏両面に金属を真空蒸着して前記金属接触面１１ａ、１１ｂを形成している。なお、分岐部７の突起接触部７ｐ、７ｑの接触面と金属接触面１１ａ、１１ｂの面積はフィルタ材１１の導電率と厚みｄと必要な抵抗値から求めた広さに設定している。
【００３３】
前記フィルタ材１１をＵ字形状の分岐部７ｃの中空部に、突起接触部７ｐ、７ｑに金属接触面１１ａ、１１ｂが重なるように挿入して接触させている。かつ、分岐部７ｂの上下部の幅Ｓをフィルタ材１１の厚さｄ以下としているため、前記接触位置に狭持固定できるが、接触を確保するため半田付けしている。
【００３４】
以下に、前記分岐コネクタ１の作用を説明する。
図５は前記分岐コネクタ１Ａの等価回路を示す図である。
Ｌ１１はバスバー７の分岐部７ｂにフィルタ材１１を接触させたことによって生じるインダクタンスを等価的に示すコイル、Ｒ１１は分岐部７ｂの突起接触部７ｐ、７ｑとフィルタ材１１の金属接触面１１ａ、１１ｂとの接触によって生じる抵抗を等価的に示す抵抗である。
また、Ｍ１１ａ〜Ｍ１１ｃは各分岐部７ｃ間に発生する相互インダクタンスを示している。なお、各分岐部７ｃ間にも抵抗値が発生するが、その大きさは前記抵抗Ｒ１１に比べて十分に大きく、その影響が殆どないため図示を省略している。
【００３５】
前記コイルＬ１１のインダクタンスは、フィルタ材１１に対して分岐部７ｂをＵ字状に屈曲させて巻き付けた状態となるため、フィルタ材１１をコア材とするとＵ字状の分岐部７ｂはほぼ一回巻きのコイルを形成した場合と同程度の大きさである。
即ち、Ｕ字状の分岐部７ｂでフィルタ材１１を狭持する構成とすることで、抵抗Ｒ１１とコイルＬ１１とを並設したフィルタ回路Ｆを分岐部７ｂに介設した状態としている。
【００３６】
よって、幹線から支線を分岐する分岐コネクタ１内において、フィルタ材１１を狭持した分岐部７ｂにおいて、任意の大きさの抵抗Ｒ１１およびコイルＬ１１を並列に接続したフィルタ回路Ｆを挿入した場合と同じインピーダンスを形成することができ、分岐部のインピーダンス不整合によって生じる反射を抑制することができる。
前記抵抗Ｒ１１やコイルＬ１１の大きさは、フィルタ材１１の透磁率と導電率と大きさ、さらには、分岐部７ｂの突起接触部７ｐ、７ｑ、フィルタ材１１の金属接触面１１ａ、１１ｂの接触面積の広さによって自在に調整可能であり、必要とするフィルタ回路Ｆの特性を任意に設定することができる。
特に、Ｍｎ−Ｚｎ系のフェライト材からなるフィルタ材１１は優れた透磁率を有すると共に、導電性も有しているため、所定の抵抗値を得るようなフィルタ回路Ｆを形成するのに適している。
【００３７】
また、本発明の分岐コネクタ１では、内部に収容する分岐接続用導電材は１枚のバスバーから形成し、該バスバーを屈曲させて設けた分岐部１ｂに一枚のフィルタ材１１を挿入して、分岐部７ｂの上下両側でフィルタ材を狭持するだけの簡単な構成であるため、製造コストを低減できる。よって、従来の抵抗およびコイルの各素子を用いてフィルタ回路を形成する場合に必要であった基板を無くすことができる。さらに、本発明の分岐コネクタ１は異なる電気的特性を有する複数の素子を組み合わせて接続したものではないため、製造が容易で且つ強度的にも優れている。
【００３８】
さらに、分岐部７ｂに突起接触部７ｐ、７ｑを形成したことにより、分岐部７ｂとフィルタ材１１の接触面積を所定の広さに安定させることができ、その結果、フィルタ材１１によって形成するフィルタ回路の特性を安定させることができる。
同様に、フィルタ材１１側にも金属蒸着による金属接触面１１ａ、１１ｂを形成しているため、フィルタ材１１によって形成するフィルタ回路の特性をさらに安定させることができる。かつ、金属接触面１１ａ、１１ｂと突起接触部７ｐ、７ｑの接触部分に半田付けを行う場合には、半田の塗りがよくなるので、確実に電気的接触を行うことができる。
【００３９】
上述した実施形態ではバスバー７から４つの分岐部７ｂを設けているが、分岐部の数は限定されず、かつ、フィルタ材１１を全ての分岐部に接触させることに限定されず、所要の分岐部にのみフィルタ材１１を接触させてもよい。
【００４０】
図６に第２実施形態を示す。
第２実施形態の分岐コネクタ１においては、ＣＡＮバスの幹線を構成する通信線２ｔに接続され電線接続用端子部７ｃ−１、７ｃ−２と連続する分岐部７ｂ−１、７ｂ−２にはフィルタ材１１を挿入せず、フィルタ材１１と接触させていない。
幹線を構成する通信線２ｔに接続される分岐部７ｂ−１、７ｂ−２にはフィルタ材１１が接触していないため、これらの分岐部７ｂに流れる電流によって発生する磁束は空気中を通り、この空気中の透磁率はフィルタ材１１に比べて悪いため、前記図５に示すようなフィルタ回路Ｆが形成されることがなく、分岐コネクタ１を通ることにより幹線を介して通信される信号が減衰することを防止できる。
【００４１】
前記幹線を構成する通信線２ｔに接続される分岐部７ｂには負荷となるインピーダンスを形成しないことが好ましいので、フィルタ材１１を接触させない分岐部７ｂは図６に示すように並べて形成することが好ましい。
なお、ツイストペア電線に接続する場合には、第１実施形態と同様に、前記バスバーと対称形状のバスバーを下段に配置している。
他の構成および作用は第１実施形態と同様であるため、説明を省略する。
【００４２】
図７（Ａ）（Ｂ）に第３実施形態を示す。
第３実施形態では、バスバーの形状を第１実施形態と相違させ、ジョイント部７ａから間隔をあけて分岐させた電線接続用端子部７ｃを突設し、隣接する電線接続用端子部７ｃの間にジョイント部７ａに連結した分離した片７ｆ’を設けている。この片７ｆ’を上方にＪ字状に屈曲させて、フィルタ材１１の保持片７ｆとしている。
本実施形態では、電線接続用端子部７ｃが４個とし、その間の３つの片を設けて屈曲させて３個の保持片７ｆを設け、電線接続用端子部７ｃと保持片７ｆとを交互に設けた構成としている。
【００４３】
前記電線接続用端子部７ｃを下側狭持部、前記保持片７ｆを上側狭持部として、その間に第１実施形態と同様な１つのフィルタ材１１を貫通して挿入し、上下より交互に狭持している。該フィルタ材１１は両側の保持片７ｆから突出させ、全ての電線接続用端子部７ｃと接触できる長さとしている。
また、第１実施形態と同様に、フィルタ材１１の上面と接触する保持片７ｆの下面には突起接触部７ｈを設け、フィルタ材１１の下面と接触する電線接続用端子部７ｃの上面にも接触突起７ｉを設ける一方、フィルタ材１１の対向する上下両面に金属接触面１１ａ、１１ｂを設けている。
【００４４】
前記構成とすると、各電線接続用端子部７ｃに流れる電流によって発生する磁束の多くがフィルタ材１１を通ることにより、フィルタ材１１をコアとして、電線接続用端子部７ｃを半回巻いた場合とほぼ同程度のインダクタンスが発生する。これによってフィルタ材１１はコイルＬ１１（図５参照）としての特性のみならず、このコイルＬ１１に並列に接続された抵抗Ｒ１１としての特性を有する素子となる。その結果、分岐部におけるインピーダンス不整合によって生じる反射波（高周波）をフィルタ回路によって除去することができる。
なお、ツイストペア電線に接続する場合には、第１実施形態と同様に、前記バスバーと対称形状のバスバーを下段に配置している。
他の構成および作用は第１実施形態と同様であるため説明を省略する。
【００４５】
図８（Ａ）（Ｂ）に第４実施形態を示す。
第４実施形態では、バスバー７には、ジョイント部７ａと、該ジョイント部７ａの長さ方向に沿って間隔をあけて電線接続用端子部７ｃを突設した簡単な形状としている。
一方、フィルタ材１１は電線接続用端子部７ｃを貫通させる貫通穴１１ｈを間隔をあけて並設した直方体として形成している。該フィルタ材１１は第１実施形態と同様にＭｎ−Ｚｎ系のフェライト磁性材から形成している。貫通穴１１ｈの断面形状は電線接続用端子部７ｃの断面形状と同形状とし、電線接続用端子部７ｃを貫通穴１１ｈに対して、その内面のバネ圧がかかるように貫通させて密着させることができる設定としている。
【００４６】
本実施形態ではフィルタ材１１の貫通穴１１ｈに電線接続用端子部７ｃを同時に貫通さればよく組みつけを極めて簡単に行うことができる。かつ、フィルタ材１１に対する電線接続用端子部７ｃの接触状態を安定させることができると共に、電気接触も確実に行うことができる。
フィルタ材１１はＭｎ−Ｚｎ系のフェライト磁性材であるため、適宜な導電性を有し、フィルタ材１１はコイルとしての電気的特性のみならず、このコイルに並列に接続された抵抗としての電気的特性も発揮することができ、通信線の分岐部におけるインピーダンス不整合によって生じる反射波を減衰させるために最適なフィルタ回路を形成することができる。
なお、ツイストペア電線に接続する場合には、第１実施形態と同様に、前記バスバーと対称形状のバスバーを下段に配置している。
他の構成および作用は第１実施形態と同様であるため、説明を省略する。
【図面の簡単な説明】
【００４７】
【図１】本発明の分岐コネクタの外観を示す図である。
【図２】第１実施形態に係る分岐コネクタの断面図である。
【図３】前記分岐コネクタに収容するバスバーを示す斜視図である。
【図４】前記分岐コネクタのバスバーとフィルタ材との分解斜視図である。
【図５】前記分岐コネクタの等価回路を示す図である。
【図６】第２実施形態を示す平面図である。
【図７】第３実施形態を示し、（Ａ）はバスバーの展開図、（Ｂ）はバスバーとフィルタ材との組みつけ状態を示す斜視図である。
【図８】第４実施形態を示し、（Ａ）は分解斜視図、（Ｂ）は組み立て状態の斜視図である。
【図９】従来例を示す図面である。
【符号の説明】
【００４８】
１          分岐コネクタ
２ｔ        幹線を構成する通信線
２ｂ        支線を構成する通信線
４          通信線側端子
７          バスバー
７ａ        ジョイント部
７ｂ        分岐部
７ｃ        電線接続用端子部
７ｆ        保持片
１１        フィルタ材
１１ｈ      貫通穴
【図１】
2008071596.tif 000003
【図２】
2008071596.tif 000004
【図３】
2008071596.tif 000005
【図４】
2008071596.tif 000006
【図５】
2008071596.tif 000007
【図６】
2008071596.tif 000008
【図７】
2008071596.tif 000009
【図８】
2008071596.tif 000010
【図９】
2008071596.tif 000011